(57)【特許請求の範囲】
【請求項１】
上面に混合ガス供給用の開口を複数設け、その外側に段部を介して炎口載置面を設けた環状頭部を有するバーナボディに、環状に炎口列を設け該環状炎口列の一部に点火用炎口及び失火検出用炎口を有するバーナキャップを載置して、前記バーボディとバーナキャップで副燃焼室及び主炎口を形成し、前記副燃焼室に配置した点火用電極により点火し、隣接した失火検出用炎口に火移りさせた後、環状に配列した主炎口に火移りさせて燃焼を行うようにしたこんろバーナであって、前記バーナキャップには円周方向に間隔をあけて形状の異なる複数個の凸部を設けるとともに、前記バーナボディの環状頭部上面には前記凸部が嵌合する嵌合孔を設け、前記嵌合孔は少なくとも外周の一部が前記混合ガス供給用開口の外周より外側に位置する箇所に配置したこんろバーナ。
【請求項２】
上面に混合ガス供給用の開口を複数設け、その外側に段部を介して炎口載置面を設けた環状頭部を有するバーナボディに、環状に炎口列を設け該環状炎口列の一部に点火用炎口及び失火検出用炎口を有するバーナキャップを載置して、前記バーボディとバーナキャップで副燃焼室及び主炎口を形成し、前記副燃焼室に配置した点火用電極により点火し、隣接した失火検出用炎口に火移りさせた後、環状に配列した主炎口に火移りさせて燃焼を行うようにしたこんろバーナであって、前記バーナキャップには円周方向に間隔をあけて形状の異なる複数個の凸部を設けるとともに、前記バーナボディの環状頭部上面には前記凸部が嵌合する嵌合孔を設け、前記嵌合孔は少なくとも周方向もしくは径方向に対して前記混合ガス供給用開口より大きくしたこんろバーナ。
【発明の詳細な説明】
【０００１】
【発明の属する技術分野】
本発明は、ガス調理器具に搭載するこんろバーナに関する。
【０００２】
【従来の技術】
従来、この種のこんろバーナは、図７に示されているように、バーナボディ１上面に、バーナキャップの環状炎口列の一部に点火用炎口及び失火検出用炎口を有する副燃焼室を嵌合させるための凹部２及び副燃焼室に円周方向にバーナキャップの凸部と嵌合する嵌合孔３を設けて、バーナキャップを嵌合載置する構成にしていた。
【０００３】
【発明が解決しょうとする課題】
しかしながら、上記の構成では、バーナキャップをバーナボディ１に載せる際、バーナキャップの環状炎口列の一部に、点火用炎口及び失火検出用炎口を有する副燃焼室を嵌合させるための凹部及び副燃焼室に、円周方向にバーナキャップの凸部と嵌合する嵌合孔以外の位置で載せられて使用されることがあり、その為に燃焼不良になったり、他の部品が焼損したりして安全性の面で必ずしも十分とは言い難かった。
【０００４】
本発明は、バーナキャップとバーナボディの嵌合が的確に、スムーズにおこなわれて、誤嵌合が生じない安全性の提供を目的とする。
【０００５】
【課題を解決するための手段】
この課題を解決するために本発明は、バーナキャップをバーナボディに載せる際、バーナキャップの誤嵌合の状態を使用者が目視で明確に確認できるように、バーナキャップを載せて回して嵌合しやすいように、また、嵌合位置以外での嵌合が生じないように構成したものである。これにより、誤嵌合が生じない安全性が得られる。
【０００６】
【発明の実施の形態】
本発明の請求項１に記載の発明は、上面に混合ガス供給用の開口を複数設け、その外側に段部を介して炎口載置面を設けた環状頭部を有するバーナボディに、環状に炎口列を設け該環状炎口列の一部に点火用炎口及び失火検出用炎口を有するバーナキャップを載置して、前記バーボディとバーナキャップで副燃焼室及び主炎口を形成し、前記副燃焼室に配置した点火用電極により点火し、隣接した失火検出用炎口に火移りさせた後、環状に配列した主炎口に火移りさせて燃焼を行うようにしたこんろバーナであって、前記バーナキャップには円周方向に間隔をあけて形状の異なる複数個の凸部を設けるとともに、前記バーナボディの環状頭部上面には前記凸部が嵌合する嵌合孔を設け、前記嵌合孔は少なくとも外周の一部が前記混合ガス供給用開口の外周より外側に位置する箇所に配置したバーナである。そして、複数個の形状の異なる凸部にて誤嵌合を防止し、嵌合が正規に行われない状態は複数個の凸部にてバーナキャップがバーナボディの上面より黙視で確認できる。また、バーナキャップをバーナボディに載置する際、バーナキャップを回して嵌合位置決めを行うとき、段部が凸部の外周のガイドになり、スムーズに回して嵌合位置決めを行うことができる。
【０００８】
請求項２に記載の発明は、上面に混合ガス供給用の開口を複数設け、その外側に段部を介して炎口載置面を設けた環状頭部を有するバーナボディに、環状に炎口列を設け該環状炎口列の一部に点火用炎口及び失火検出用炎口を有するバーナキャップを載置して、前記バーボディとバーナキャップで副燃焼室及び主炎口を形成し、前記副燃焼室に配置した点火用電極により点火し、隣接した失火検出用炎口に火移りさせた後、環状に配列した主炎口に火移りさせて燃焼を行うようにしたこんろバーナであって、前記バーナキャップには円周方向に間隔をあけて形状の異なる複数個の凸部を設けるとともに、前記バーナボディの環状頭部上面には前記凸部が嵌合する嵌合孔を設け、前記嵌合孔は少なくとも周方向もしくは径方向に対して前記混合ガス供給用開口より大きくしたこんろバーナである。そして、バーナボディの上面のガス供給用の開口をバーナキャップの凸部の先端形状よりも小さくしたものであり、バーナキャップの凸部が正規の位置の嵌合孔以外の場所にはいりこまないようにして、誤嵌合を防止したものである。
【０００９】
以下、本発明の実施例について、図１から図６を用いて説明する。
（実施例１）
図１、図２、図３において、１ａはプレス成形されたバーナボディで、ノズル４から供給されるガスは、混合管Ｍで空気と混合されて、バーナキャップ５ａとバーナボディ１ａとで形成された点火炎口部６で点火用電極７により点火され、さらに隣接された失火検出用炎口８に火移りし、さらに環状に配列された主炎口９に火移りする。
【００１０】
バーナキャップ５ａとバーナボディ１ａの嵌合は、点火炎口部６および失火検出用炎口部８を、バーナキャップ５ａの環状炎口部の突起形状１０、１１にてはさみ形成する副燃焼室１２を、バーナボディ１ａの上面の凹部２に嵌合している。
【００１１】
さらに副燃焼室１２より離れた円周方向に形状の異なる凸大部１３、凸小部１４にてバーナボディ１ａの嵌合孔３ａ、３ｂと嵌合している。凸大部１３と凸小部１４の間隔は、バーナボディ１ａの副燃焼室１２の凹部２の空間２の幅２ａよりも大きくしている。
【００１２】
上記構成において、バーナキャップ５ａとバーナボディ１ａの嵌合は確実であり、しかも、副燃焼室１２の嵌合部以外に複数の異なる凸部の凸大部１３、凸小部１４との嵌合のため、嵌合が正規に行われない場合でも、一つの嵌合用の凸部がバーナボディ１ａの凹部２の空間２ａにはまっても、複数の突起形状１０、１１および凸大部１３、凸小部１４のどれかがバーナボディ１ａの上面より浮いて誤嵌合が目視にて明確にわかる。
【００１３】
図３、図４において、バーナキャップ５ａを載せるバーナボディ１ａの炎口面１５と上面１６とで形成される段１７をガイドとして、バーナキャップ５ａの凸大部１３と凸小部１４が、バーナボディ１ａの上面１６のうえに載せられている状態を示している。
【００１４】
ガス通過口の開口１８の外周１８ａの中心からの長さＲよりも、バーナキャップ５ａの凸大部１３と凸小部１４の中心からの外周までの長さを大きくすることで、バーナキャップ４の凸大部１３と凸小部１４は、ガス通過口の開口１８にはまりこむことがない。
【００１５】
バーナボディ１ａの上面を、段１７をガイドにしてバーナキャップ５ａを回して、嵌合の位置にくれば、簡単にバーナキャップ５ａをバーナボディ１ａに嵌合することができる。つまり、嵌合孔３ａ、３ｂは斜線を施した外側の部分が開口１８の長さＲより大のために、凸大部１３と凸小部１４は開口１８にははいれない。
【００１６】
（実施例２）
図５及び図６において、バーナボディ１ｂのガス通過口の開口１８ｂ等の形状は、バーナキャップ５ｂの凸大部１３ｃ、凸小部１４ｄの大きさよりも嵌合的に小さくしたものである。開口１８ｂは横に狭く、開口１８ｄは縦に狭く、開口１８ｅは嵌合孔３ｃに比べて斜線部がない。
【００１７】
したがって、バーナキャップ５ｂの凸大部１３ｃ、凸小部１４ｄは、バーナキャップ５ｂを嵌合するためにバーナボディ１ｂに載せて回してもバーナボディ１ｂのガス通過口の開口１８ｂ、１８ｃ、１８ｄ、１８ｅにはまりこむことなく、バーナボディ１ｂの上面を回すことができ、嵌合の位置にくれば簡単に嵌合することができる。
【００１８】
【発明の効果】
以上のように本発明によれば、バーナキャップをバーナボディに載せる際、バーナキャップの誤嵌合の状態を使用者が目視で明確に確認できるように、バーナキャップを載せて回して嵌合しやすいように、また、嵌合位置以外での嵌合が生じないように構成したものである。これにより、安全性が確保されるという有利な効果が得られる。
【図面の簡単な説明】
【図１】本発明の実施例１のこんろバーナの側断面図
【図２】同こんろバーナのバーナキャップの底面図
【図３】同こんろバーナのバーナボディの上面図
【図４】同こんろバーナの未嵌合状態の断面図
【図５】本発明の実施例２のこんろバーナのバーナボディの上面図
【図６】同こんろバーナのバーナキャップの底面図
【図７】従来のこんろバーナの上面図
【符号の説明】
１、１ａ、１ｂ  バーナボディ
２  凹部
２ａ  空間
３、３ａ、３ｂ、３ｃ、３ｄ  嵌合孔
５、５ａ、５ｂ  バーナキャップ
１０、１１  環状炎口部の突起形状
１２  副燃焼室
１３、１３ｃ  凸大部
１４、１４ｄ  凸小部
１５  バーナボディ１の炎口面
１６  バーナボディ１の上面
１７  段
１８、１８ａ、１８ｂ、１８ｃ、１８ｄ、１８ｅ  開口
【図１】
0003772435.tif 000002
【図２】
0003772435.tif 000003
【図３】
0003772435.tif 000004
【図４】
0003772435.tif 000005
【図５】
0003772435.tif 000006
【図６】
0003772435.tif 000007
【図７】
0003772435.tif 000008